(57)【特許請求の範囲】
【請求項１】
側壁面の一部が、高さ方向全体にわたって外方向に突設されて出隅空間が形成された住宅建物であって、
出隅空間の躯体は、二階梁と平行するように突設梁が設けられ、この突設梁と袖梁とが出隅梁を介して接続され、二階梁と突設梁との間は補強梁で補強され、二階梁と出隅梁との間には、梁つなぎが設けられて二階部分が形成される一方、
天井梁と平行するように突設梁が設けられ、この突設梁が、天井梁から突設されて小屋根を支持するようになされた二本の小屋梁間に９０度の出隅角で接続され、天井梁と突設梁との間は補強梁で補強され、突設梁には、袖軸組の一端が接続され、この袖軸組の他端は、小屋梁と天井梁とによって構成される入隅部に接続され、袖軸組と小屋梁との間は、つなぎプレートによって接続されて天井部分が形成され、
出隅部および入隅部にそえ柱を介して軸柱が固定されて柱部分が形成され、
出隅梁、つなぎプレート、およびそえ柱以外の出隅空間の躯体構成部材は、建物本体の躯体に使用されている部材からなり、
この出隅空間の躯体に壁や窓が設けられて、突設された突設壁の両袖壁が、突設壁から側壁面にかけて拡径する断面略台形状となるように斜めに設けられるとともに、これら突設壁および両袖壁にかけてそれぞれ水平方向に連続するように窓が設けられ、これによって室内に、なだらかに窓が連続してパノラマ状に外を見通せる半戸外的な出隅空間が形成されてなることを特徴とする住宅建物。
【請求項２】
出隅空間が居間に設けられた請求項１記載の住宅建物。
【請求項３】
出隅空間が寝室に設けられた請求項１記載の住宅建物。
【請求項４】
出隅空間が食堂に設けられた請求項１記載の住宅建物。
【請求項５】
出隅空間が和室の縁側となされた請求項１記載の住宅建物。
【発明の詳細な説明】
【０００１】
【発明の属する技術分野】
本発明は、住宅建物に関するものである。
【０００２】
【従来の技術】
従来より、住宅建物の側壁面の一部を、床面から天井面にかけて突設させ、室内に出隅空間を形成することが行われている。また、図９に示すように、この出隅空間ａの突設された突設壁ｂとその両袖壁ｃに窓ｄを設け、出隅空間ａ全体に採光性を持たせることが行われている。
【０００３】
【発明が解決しようとする課題】
しかし、上記従来の出隅空間ａは、住宅建物のモジュール単位の部材を利用して形成していたため、出隅角度αを９０度としたものしかなかった。したがって、出隅空間ａ自体は、採光性に優れているものの、室内から外部を見る場合、入隅柱ｅと出隅柱ｆとが近寄りすぎて、両袖壁ｃに設けた窓ｄからの視界ｇが狭くなってしまい、実質的には突設壁ｂに設けた窓ｄからの視界ｈの範囲でしか外部が見通せないといった不都合を生じることとなる。
【０００４】
そのため、突設壁ｂおよび両袖壁ｃの三面から充分な採光性が得られるものの、室内からの視線の抜け、すなわち、解放感のある空間を形成すると言った意味では、通常の出窓よりも良いといった程度の出隅空間ａしか形成できなかった。
【０００５】
本発明は、係る実情に鑑みてなされたものであって、室内からの視界を良くして半戸外的な雰囲気の出隅空間を形成することができる住宅建物を提供することを目的としている。
【０００６】
【課題を解決するための手段】
上記課題を解決するための本発明の住宅建物は、側壁面の一部が、高さ方向全体にわたって外方向に突設されて出隅空間が形成された住宅建物であって、出隅空間の躯体は、二階梁と平行するように突設梁が設けられ、この突設梁と袖梁とが出隅梁を介して接続され、二階梁と突設梁との間は補強梁で補強され、二階梁と出隅梁との間には、梁つなぎが設けられて二階部分が形成される一方、天井梁と平行するように突設梁が設けられ、この突設梁が、天井梁から突設されて小屋根を支持するようになされた二本の小屋梁間に９０度の出隅角で接続され、天井梁と突設梁との間は補強梁で補強され、突設梁には、袖軸組の一端が接続され、この袖軸組の他端は、小屋梁と天井梁とによって構成される入隅部に接続され、袖軸組と小屋梁との間は、つなぎプレートによって接続されて天井部分が形成され、出隅部および入隅部にそえ柱を介して軸柱が固定されて柱部分が形成され、出隅梁、つなぎプレート、およびそえ柱以外の出隅空間の躯体構成部材は、建物本体の躯体に使用されている部材からなり、この出隅空間の躯体に壁や窓が設けられて、突設された突設壁の両袖壁が、突設壁から側壁面にかけて拡径する断面略台形状となるように斜めに設けられるとともに、これら突設壁および両袖壁にかけてそれぞれ水平方向に連続するように窓が設けられ、これによって室内に、なだらかに窓が連続してパノラマ状に外を見通せる半戸外的な出隅空間が形成されてなるものである。また、住宅建物の外観も、意匠性に優れた印象的な外観が得られる。
【０００７】
また、本発明の住宅建物は、出隅空間が居間に設けられたものである。このように、出隅空間を居間に設けることで、居間は、その室内にバルコニーを取り込んだような解放感のある半戸外的な出隅空間が形成されることとなり、窓の外に面する庭の演出をより楽しむことができる。
【０００８】
さらに、本発明の住宅建物は、出隅空間が寝室に設けられたものである。このように、出隅空間を寝室に設けることで、寝室は、パノラマ状に外を見通せるので、閉鎖的になりがちな寝室の一角に開放的な空間を形成することができる。
【０００９】
さらに、本発明の住宅建物は、出隅空間が食堂に設けられたものである。このように、出隅空間を食堂に設けることで、居間と同様に食堂の室内にバルコニーを取り込んだような解放感のある半戸外的な出隅空間が形成されることとなり、窓の外に面する庭の演出をより楽しみながら食事をすることができる。
【００１０】
さらに、本発明の住宅建物は、出隅空間が和室の縁側となされたものである。このように、出隅空間を和室の縁側とすることで、和風建築特有の縁側を、うまくアレンジした形で住宅建物に取り入れることができるとともに、従来の縁側よりも採光性に優れる。この和室は、縁側を介してパノラマ状に外を見通すことができるので、明るく、開放的で庭の演出をより楽しむことができる。
【００１１】
【発明の実施の形態】
以下、本発明の実施の形態を図面を参照して説明する。
【００１２】
図１は住宅建物１の全体構成の概略を示し、図２は同住宅建物１の間取りを示している。
【００１３】
すなわち、この住宅建物１は、居間１１と主寝室２１とに、パノラマ状に外を見通せる半戸外的な出隅空間Ａが形成されている。
【００１４】
一階１０には、居間１１、食堂１２、厨房１３、トイレ１４、洗面所１５、浴室１６、納戸１７、和室１８が設けられている。
【００１５】
二階２０には、主寝室２１、クローゼット２２、子供部屋２３、２４、和室２５、トイレ２６、バルコニー２７が設けられている。
【００１６】
一階１０の居間１１と二階２０の主寝室２１とは、互いに上下する位置関係で設けられている。
【００１７】
出隅空間Ａは、居間１１と主寝室２１とが設けられているファサードの側壁面３の一部が、住宅建物１の高さ方向に沿って、外方向に突設されて形成されている。ただし、突設壁３１の両袖壁３２が、突設壁３１から外壁面３にかけて拡径する断面略台形状となるように斜めに設けられ、出隅角が１２０度となされている。
【００１８】
一階１０の居間１１の部分の突設壁３１および両袖壁３２には、それぞれ水平方向に連続するように掃き出し窓４が設けられている。二階２０の主寝室２１の部分の突設壁３１および両袖壁３２には、それぞれ水平方向に連続するように腰窓４０が設けられている。これにより、居間１１および主寝室２１の双方の出隅空間Ａは、なだらかに掃き出し窓４および腰窓４０が連続してパノラマ状に外を見通せるようになされている。したがって、居間１１は、居間１１内にバルコニーを取り込んだような解放感のある半戸外的な出隅空間Ａが形成されることとなり、この掃き出し窓４の外に面する庭の演出をより楽しむことができる。また、主寝室２１は、掃き出し窓４を設けた居間１１程の解放感は得られないものの、パノラマ状に外を見通せるので、閉鎖的になりがちな主寝室２１の一角に開放的な空間を形成することができる。
【００１９】
また、このようにして構成される住宅建物１は、ファサードの側壁面３の一部が、住宅建物１の高さ方向に沿って、外方向に突設されることで、意匠性に優れた印象的な外観が得られる。
【００２０】
なお、本実施の形態では、出隅空間Ａを、一階１０の居間１１および二階２０の主寝室２１に設けているが、図３に示すように、一階１０の食堂１２に設けても良い。同図において、図２（ｂ）と対応する箇所には、同符号を付す。
【００２１】
この場合、居間１１と同様に食堂１２内にバルコニーを取り込んだような解放感のある半戸外的な出隅空間Ａが形成されることとなり、この掃き出し窓４の外に面する庭の演出をより楽しみながら食事をすることができる。
【００２２】
また、図４に示すように、出隅空間Ａを、一階１０の和室１８の縁側１８ａに形成しても良い。同図において、図２（ｂ）と対応する箇所には、同符号を付す。
【００２３】
この場合、縁側１８ａは、図４（ａ）に示すように、出隅空間Ａだけが縁側１８ａとなるようにしても良いし、図４（ｂ）に示すように、出隅空間Ａを含めた周辺が縁側１８ａとなるようにしても良い。このようにして構成した和室１８は、和風建築特有の縁側１８ａを、うまくアレンジした形で住宅建物１に取り入れることができるとともに、従来の縁側１８ａよりも採光性に優れる。この和室１８は、縁側１８ａを介してパノラマ状に外を見通すことができるので、明るく、開放的で庭の演出をより楽しむことができる。また、この和室１８は、和室１８と縁側１８ａとを仕切る障子１８ｂを閉めることで、落ち着いた雰囲気にすることもできる。
【００２４】
また、本実施の形態では、一階１０の居間１１の出隅空間Ａに掃き出し窓４を設け、二階２０の主寝室２１の出隅空間Ａに腰窓４０を設けているが、この出隅空間Ａに設ける窓としては、特に限定されるものではなく、各種の窓を設けることができる。ただし、二階２０の出隅空間Ａは、その外側にバルコニーなどが設けられていない限り掃き出し窓４を設けることはできない。また、この出隅空間Ａを最大限に生かそうとした場合、窓は、突設壁３１と両袖壁３２とに設けることが好ましいが、少なくとも突設壁３１および両袖壁３２の一ヶ所以上に設けたものであっても良い。
【００２５】
さらに、本実施の形態では、出隅空間Ａは、突設壁３１の両袖壁３２が、突設壁３１から外壁面３にかけて拡径する断面略台形状となるように斜めに設けられ、出隅角が双方ともに１２０度となされているが、図５に示すように、一方の出隅角だけが１２０度となされ、他方の出隅角が９０度となされたものであっても良い。また、出隅角は、断面略台形状の出隅空間Ａを形成することができれば、特に１２０度に限定されるものではない。
【００２６】
次に、この住宅建物１の出隅空間Ａを構成する躯体構造について説明する。
この出隅空間Ａを構成する躯体の柱５は、図６に示すように、出隅部および入隅部に、そえ柱５１を介して、軸柱５２を固定することによって構成されている。このそえ柱５１は、１２０度の取付角となるように鋼板を折り曲げ加工して形成されている。掃き出し窓４は、軸柱５２に固定される。出隅部には、隣接する掃き出し窓４の額縁４１の間をつないでそえ柱５１および軸柱５２を被覆するように、１２０度の出隅角で形成した鋼板のカバー材４２が設けられる。このカバー材４２により、突設壁３１および両袖壁３２に設けた掃き出し窓４は、出隅部分があたかも掃き出し窓４と一体化して突設壁３１および両袖壁３２にかけて掃き出し窓４が連続するように設けられることとなる。腰窓４０についても、この掃き出し窓４と同様にして軸柱５２に固定される。
【００２７】
この柱５の構成によると、通常の建物本体の躯体の構成に使用されている軸柱５２を、専用のそえ柱５１と組み合わせることによって出隅部および入隅部の柱５を構成しているので、そえ柱５１以外は、汎用部材を使用することができ、部材構成が複雑化するのを防止することができる。また、建物本体の躯体を構成する軸柱５２の所望の位置にそえ柱５１を組み合わせて入隅部の柱５を構成することで、建物本体の外周面の所望の位置に所望の幅で出隅空間Ａを構成することができる。
【００２８】
一方、この出隅空間Ａを構成する躯体の梁６のうち、二階床部分は、図７に示すように、二階梁６１と平行するように突設梁６２が設けられ、この突設梁６２と袖梁６３とが１２０度の出隅角となるように、あらかじめ１２０度の出隅角となされた出隅梁６４を介して接続されている。二階梁６１と突設梁６２との間は補強梁６５で補強され、二階梁６１と出隅梁６４との間には、ブレース替わりに梁つなぎ６６が設けられている。この梁６の構成によると、出隅梁６４以外の突設梁６２、袖梁６３および補強梁６５は、通常の建物本体の躯体の構成に使用されている梁材を使用することができるので、部材構成が複雑化するのを防止することができる。また、出隅梁６４は、１２０度の出隅角で一体化されているので、出隅部に接続部分が集中することなく、優れた強度を得ることができる。
【００２９】
また、図８に示すように、梁６の天井部分は、天井梁６７と平行するように突設梁６２が設けられ、この突設梁６２が、天井梁６７から突設されて小屋根７を支持するようになされた二本の小屋梁６８間に９０度の出隅角で接続されている。天井梁６７と突設梁６２との間は補強梁６５で補強されている。突設梁６２には、１２０度の出隅角となるように、袖軸組６９の一端が接続される。この袖軸組６９の他端は、小屋梁６８と天井梁６７とによって構成される入隅部に接続される。袖軸組６９と小屋梁６８との間は、つなぎプレート６０によって接続され、袖軸組６９の強度の向上が図られている。
【００３０】
この梁６の場合、小屋梁６８および突設梁６２に、１２０度の出隅角となるように袖軸組６９を接続し、この接続状態をつなぎプレート６０で固定しているので、つなぎプレート６０以外は、通常の建物本体の梁の構成に使用されているものを使用することができる。したがって、部材構成が複雑化するのを防止することができる。
【００３１】
【発明の効果】
以上述べたように、本発明によると、突設壁の両袖壁を、突設壁から側壁面にかけて拡径する断面略台形状となるように斜めに設けるとともに、これら突設壁および両袖壁にかけてそれぞれ水平方向に連続するように窓を設けているので、室内には、なだらかに窓が連続してパノラマ状に外を見通せる半戸外的な出隅空間を形成することができる。
【００３２】
したがって、この半戸外的空間を居間、食堂または和室の縁側として形成することで、より解放感のある部屋を構成することができる。
また、出隅梁、つなぎプレート、およびそえ柱以外の出隅空間の躯体構成部材は、建物本体の躯体に使用されている部材からなり、この出隅空間の躯体に壁や窓を設けて構成しているので、部品構成が複雑化するのを防止することができる。
【図面の簡単な説明】
【図１】本発明に係る住宅建物の全体構成の概略を示す正面図である。
【図２】（ａ）および（ｂ）は図１に示す住宅建物の二階および一階の間取りを示すプラン図である。
【図３】本発明に係る住宅建物の他の実施の形態を示すプラン図である。
【図４】（ａ）および（ｂ）は本発明に係る住宅建物のさらに他の実施の形態を示すプラン図である。
【図５】本発明に係る住宅建物の出隅空間の他の形状を示す部分断面図である。
【図６】図１におけるＩ−Ｉ線断面図である。
【図７】図１におけるＩＩ−ＩＩ線断面図である。
【図８】図１におけるＩＩＩ−ＩＩＩ  線断面図である。
【図９】従来の住宅建物の出隅空間を示す部分断面図である。
【符号の説明】
１  住宅建物
１１  居間
１２  食堂
１８  和室
１８ａ  縁側
２１  主寝室
３  側壁面
３１  突設壁
３２  両袖壁
４  掃き出し窓
４０  腰窓
Ａ  出隅空間
【図１】
0003612429.tif 000002
【図２】
0003612429.tif 000003
【図３】
0003612429.tif 000004
【図４】
0003612429.tif 000005
【図５】
0003612429.tif 000006
【図６】
0003612429.tif 000007
【図７】
0003612429.tif 000008
【図８】
0003612429.tif 000009
【図９】
0003612429.tif 000010